(57)【特許請求の範囲】
【請求項１】
無線通信用のバッテリ及びアンテナ、並びに有線通信用のケーブルが着脱自在に接続される通信コネクタを筐体内に有しており、通信方式として無線方式と有線方式とが選択可能である放射線撮影用カセッテと、前記放射線撮影用カセッテを制御するコンソールであり、前記放射線撮影用カセッテから転送される画像や操作画面を表示するモニタを備えたコンソールとからなる放射線撮影システムにおいて、
前記バッテリの充電状態、または無線通信の通信状態の少なくとも一方を基に、前記無線方式の選択が可能か否かを判定する第１判定手段と、
撮影が完了したか否かを判定する第２判定手段と、
前記第１判定手段によって前記無線方式の選択が可能と判定された場合に、前記無線方式の選択が可能である旨の報知を行う報知手段であり、前記第２判定手段の判定結果に基づいて、撮影が完了したタイミングで前記報知を行う報知手段とを備えていることを特徴とする放射線撮影システム。
【請求項２】
前記コンソールは、前記放射線撮影用カセッテから転送される画像を撮影オーダと関連付けて格納する格納手段を備え、
前記第２判定手段は、被検者単位で撮影オーダに対応する撮影が完了したか否かを判定し、一人の被検者の撮影が完了したタイミングで前記報知を行うことを特徴とする請求項１に記載の放射線撮影システム。
【請求項３】
前記第２判定手段は、前記放射線撮影用カセッテから前記コンソールに対して、一人の被検者の撮影に係るすべての画像の転送が完了したときに一人の被検者の撮影が完了したと判定することを特徴とする請求項１又は２のいずれかに記載の放射線撮影システム。
【請求項４】
前記コンソールは、撮影オーダに対応する撮影が完了しているか否かを表すステータス情報を撮影オーダ毎に関連付けて格納する格納手段を備え、
前記第２判定手段は、前記ステータス情報に基づいて一人の被検者の撮影が完了したか否かを判定することを特徴とする請求項１〜３のいずれか１項記載の放射線撮影システム。
【請求項５】
前記第１判定手段は、前記バッテリの充電量が所定の閾値を超えたときに前記無線方式の選択が可能と判定することを特徴とする請求項１〜４のいずれか１項記載の放射線撮影システム。
【請求項６】
前記モニタが前記報知手段であることを特徴とする請求項１〜５のいずれか１項記載の放射線撮影システム。
【請求項７】
無線通信用のバッテリ及びアンテナ、並びに有線通信用のケーブルが着脱自在に接続される通信コネクタを筐体内に有し、通信方式として無線方式と有線方式とが選択可能である放射線撮影用カセッテとの無線通信が可能か否かを、前記バッテリの充電状態、または無線通信の通信状態の少なくとも一方を基に判定する第１判定手段と、
撮影が完了したか否かを判定する第２判定手段と、
前記第１判定手段によって前記無線通信が可能と判定された場合に、前記無線通信が可能である旨の報知を行う報知手段であり、前記第２判定手段の判定結果に基づいて、撮影が完了したタイミングで前記報知を行う報知手段とを備えていることを特徴とするコンソール。
【請求項８】
無線通信用のバッテリ及びアンテナ、並びに有線通信用のケーブルが着脱自在に接続される通信コネクタを筐体内に有し、コンソールとの通信方式として無線方式と有線方式とが選択可能である放射線撮影用カセッテにおいて、
前記バッテリの充電状態、または無線通信の通信状態の少なくとも一方を基に、前記無線方式の選択が可能か否かを判定する第１判定手段と、
撮影が完了したか否かを判定する第２判定手段とを備え、
前記第１判定手段によって前記無線方式の選択が可能と判定された場合に、前記無線方式の選択が可能である旨の報知を行うコンソールの報知手段に対し、前記第２判定手段の判定結果に基づいて、撮影が完了したタイミングで前記報知を行わせることを特徴とする放射線撮影用カセッテ。
【請求項９】
無線通信用のバッテリ及びアンテナ、並びに有線通信用のケーブルが着脱自在に接続される通信コネクタを筐体内に有し、通信方式として無線方式と有線方式とが選択可能である放射線撮影用カセッテとの無線通信が可能か否かを、前記バッテリの充電状態、または無線通信の通信状態の少なくとも一方を基に判定する第１判定手段、
撮影が完了したか否かを判定する第２判定手段、
及び、前記第１判定手段によって前記無線通信が可能と判定された場合に、前記無線通信が可能である旨の報知を行う報知手段であり、前記第２判定手段の判定結果に基づいて、撮影が完了したタイミングで前記報知を行う報知手段としてコンソールのコンピュータを機能させることを特徴とするプログラム。
【発明の詳細な説明】
【技術分野】
【０００１】
本発明は、可搬型のフラットパネルディテクタを備えた放射線撮影システム、コンソール、放射線撮影用カセッテ、及びプログラムに関する。
【背景技術】
【０００２】
被検者に向けて放射線（Ｘ線）を照射する放射線撮影システムが知られている。放射線撮影システムは、被検者を透過した放射線を検出する放射線検出器を備えている。放射線検出器としては、放射線を直接画像データに変換できるフラットパネルディテクタ（ＦＰＤ）が実用化されている。ＦＰＤには、複数の撮影台（例えば、立位撮影用と臥位撮影用）で兼用できる可搬型（カセッテタイプ）のもの（以下、ＦＰＤカセッテという。）がある。
【０００３】
例えば、特許文献１、２には、バッテリ及びアンテナを搭載したＦＰＤカセッテと、ＦＰＤカセッテと無線方式で通信を行うコンソールと、ＦＰＤカセッテに着脱自在に接続され、ＦＰＤカセッテとコンソールとの有線方式での通信、及びバッテリの充電を可能にするケーブルとを備えた放射線撮影システムが記載されている。
【０００４】
この放射線撮影システムでは、ＦＰＤカセッテで取得された画像データをコンソールに送信する方式を、必要に応じて無線方式と有線方式とで選択的に切り替えることができる。ＦＰＤカセッテの取回しの自由度を優先する場合には無線方式を選択し、送信状態の安定性を優先する場合には有線方式を選択する。
【０００５】
無線方式を選択した場合、バッテリが駆動電力となる。バッテリの残量が減って無線方式で画像データを送信できなくなった場合であっても、有線方式に切り替えることで、ケーブルを介して駆動電力を得ることができるとともに、バッテリの充電を行うことができる。
【０００６】
ＦＰＤカセッテを使用する場合、通常は取回しの観点からケーブルを挿さない無線方式で使用することが多い。しかしながら、上述したバッテリ残量低下が発生した時や、被検者の部屋（病室）など通信が不安定である状況においては、技師がケーブルを挿して有線方式に切り替え、一時的にその場をしのぐ場合がある。
【先行技術文献】
【特許文献】
【０００７】
【特許文献１】特開２００９−２９７１８７号公報
【特許文献２】特開２００５−００６９７９号公報
【発明の概要】
【発明が解決しようとする課題】
【０００８】
しかしながら今までは、充電が完了した場合や通信状況が良化したときに、ケーブルを抜いてよいタイミングを技師が知る術がながった。ケーブルを介してシステムが処理をしている最中に技師がケーブルを抜くことは、システムの動作を不安定にする可能性があり問題である。特に、撮影後にプレビュー画像を先に送信し、問題ない場合に本画像を送信するシーケンスのシステムにおいては、プレビュー画像の確認を実施した時点で、技師が既に処理が全て完了していると勘違いしやすく、本画像の送信中に誤ってケーブルを抜いてしまう可能性があった。
【０００９】
また、技師の多くは、通信方式の切替えを作業の区切りのよいところで行おうと考えるため、被検者毎に行われる撮影中にその作業を中断して通信方式の切替え作業を行う技師は少ない。そのため、撮影作業の途中で仮に無線方式への切替えが可能であることが分かったとしても、技師は、切替え作業を後回しにして撮影作業を継続する場合が多い。そうすると、一人の被検者の撮影作業が終了した時点において、技師は無線方式への切替えが可能であったことを忘れて次の被検者の撮影作業に入ってしまい、無線方式への復帰のタイミングを逸してしまう可能性が高くなる。
【００１０】
本発明は、上記課題を鑑みてなされたものであり、有線方式と無線方式の選択が可能なＦＰＤカセッテを有する放射線撮影システムにおいて、技師が気付きやすく、かつ、システムを安定的に無線方式に切替可能な通知をできる放射線撮影システムを提供することを目的とする。また、放射線撮影システムを構成するコンソール、放射線撮影用カセッテ、及びプログラムを提供することを目的とする。
【課題を解決するための手段】
【００１１】
上記目的を達成するために、本発明の放射線撮影システムは、無線通信用のバッテリ及びアンテナ、並びに有線通信用のケーブルが着脱自在に接続される通信コネクタを筐体内に有しており、通信方式として無線方式と有線方式とが選択可能である放射線撮影用カセッテと、前記放射線撮影用カセッテを制御するコンソールであり、前記放射線撮影用カセッテから転送される画像や操作画面を表示するモニタを備えたコンソールとからなる放射線撮影システムであり、前記バッテリの充電状態、または無線通信の通信状態の少なくとも一方を基に、前記無線方式の選択が可能か否かを判定する第１判定手段と、撮影が完了したか否かを判定する第２判定手段と、前記第１判定手段によって前記無線方式の選択が可能と判定された場合に、前記無線方式の選択が可能である旨の報知を行う報知手段であり、前記第２判定手段の判定結果に基づいて、撮影が完了したタイミングで前記報知を行う報知手段とを備えていることを特徴とする。
【００１２】
前記コンソールは、前記放射線撮影用カセッテから転送される画像を撮影オーダと関連付けて格納する格納手段を備え、前記第２判定手段は、被検者単位で撮影オーダに対応する撮影が完了したか否かを判定し、一人の被検者の撮影が完了したタイミングで前記報知を行うことが好ましい。
【００１３】
前記第２判定手段は、前記放射線撮影用カセッテから前記コンソールに対して、一人の被検者の撮影に係るすべての画像の転送が完了したときに一人の被検者の撮影が完了したと判定することが好ましい。
【００１４】
前記格納手段には、撮影オーダに対応する撮影が完了しているか否かを表すステータス情報が撮影オーダ毎に関連付けて格納されており、前記第２判定手段は、前記ステータス情報に基づいて一人の被検者の撮影が完了したか否かを判定することが好ましい。
【００１５】
前記第１判定手段は、前記バッテリの充電量が所定の閾値を超えたときに前記無線方式の選択が可能と判定することが好ましい。
【００１６】
前記モニタが前記報知手段であることが好ましい。
【００１７】
本発明のコンソールは、無線通信用のバッテリ及びアンテナ、並びに有線通信用のケーブルが着脱自在に接続される通信コネクタを筐体内に有し、通信方式として無線方式と有線方式とが選択可能である放射線撮影用カセッテとの無線通信が可能か否かを、前記バッテリの充電状態、または無線通信の通信状態の少なくとも一方を基に判定する第１判定手段と、撮影が完了したか否かを判定する第２判定手段と、前記第１判定手段によって前記無線通信が可能と判定された場合に、前記無線通信が可能である旨の報知を行う報知手段であり、前記第２判定手段の判定結果に基づいて、撮影が完了したタイミングで前記報知を行う報知手段とを備えていることが好ましい。
【００１８】
本発明の放射線撮影用カセッテは、無線通信用のバッテリ及びアンテナ、並びに有線通信用のケーブルが着脱自在に接続される通信コネクタを筐体内に有し、コンソールとの通信方式として無線方式と有線方式とが選択可能である放射線撮影用カセッテであり、前記バッテリの充電状態、または無線通信の通信状態の少なくとも一方を基に、前記無線方式の選択が可能か否かを判定する第１判定手段と、撮影が完了したか否かを判定する第２判定手段とを備え、前記第１判定手段によって前記無線方式の選択が可能と判定された場合に、前記無線方式の選択が可能である旨の報知を行うコンソールの報知手段に対し、前記第２判定手段の判定結果に基づいて、撮影が完了したタイミングで前記報知を行わせることを特徴とする。
【００１９】
本発明のプログラムは、無線通信用のバッテリ及びアンテナ、並びに有線通信用のケーブルが着脱自在に接続される通信コネクタを筐体内に有し、通信方式として無線方式と有線方式とが選択可能である放射線撮影用カセッテとの無線通信が可能か否かを、前記バッテリの充電状態、または無線通信の通信状態の少なくとも一方を基に判定する第１判定手段、撮影が完了したか否かを判定する第２判定手段、及び、前記第１判定手段によって前記無線通信が可能と判定された場合に、前記無線通信が可能である旨の報知を行う報知手段であり、前記第２判定手段の判定結果に基づいて、撮影が完了したタイミングで前記報知を行う報知手段としてコンソールのコンピュータを機能させることを特徴とする。
【発明の効果】
【００２０】
本発明によれば、通信方式として無線方式と有線方式とが選択可能である放射線撮影用カセッテのバッテリの充電状態を計測して無線方式の選択が可能と判定した場合に、被検者単位で撮影オーダに対応する撮影が完了したか否かを判定し、一人の被検者の撮影が完了したタイミングで、無線方式の選択が可能である旨の報知を行うから、技師が気付きやすく、かつ、システムを安定的に無線方式に切替可能である。
【図面の簡単な説明】
【００２１】
【図１】放射線撮影システムの構成を概要的に示す図である。
【図２】ＦＰＤカセッテの構成を概略的に示す斜視図である。
【図３】ＦＰＤカセッテの電気的構成を概略的に示すブロック図である。
【図４】コンソールの電気的構成を概略的に示すブロック図である。
【図５】（Ａ）はオーダ一覧を概略的に示す図であり、（Ｂ）はオーダを概略的に示す図である。
【図６】ケーブルによる接続を解除することが可能であるか否かを通知するウィンドウを概略的に示す図である。
【図７】第１実施形態の放射線撮影システムの作用を説明するフローチャートである。
【図８】第２実施形態の放射線撮影システムの作用を説明するフローチャートである。
【００２２】
［第１実施形態］
図１に示すように、本発明における第１実施形態の放射線撮影システム１１は、被検者Ｈに放射線Ｘを照射する放射線発生装置１２と、被検者Ｈを透過した放射線Ｘを検出するＦＰＤカセッテ（以下、単にカセッテという。）１３と、放射線発生装置１２とカセッテ１３とを制御するコンソール１４と、被検者単位で行われる撮影のオーダを管理する情報管理サーバ１５とから構成されている。放射線発生装置１２及びカセッテ１３は、放射線撮影室内に設置され、コンソール１４及び情報管理サーバ１５は、放射線撮影室に隣接した操作室内に設置されている。
【００２３】
放射線発生装置１２は、放射線Ｘを発生するＸ線管１２ａと、放射線Ｘの照射範囲を限定するコリメータ１２ｂとからなる。放射線発生装置１２は、支持装置（図示省略）によって移動自在に支持されている。放射線発生装置１２は、例えば、カセッテ１３に対面するように支持装置（図示省略）により移動され、コンソール１４で設定された撮影部位に応じて放射線Ｘの照射範囲が変更される。
【００２４】
図２に示すように、カセッテ１３は、従来のＩＰ（イメージングプレート）用カセッテと同じ外形サイズであり、高い取扱性及び携帯性を有している。カセッテ１３は、放射線撮影室において固定式の放射線撮影システムで使用されたり、放射線撮影室から持ち出されて診察室、病室等で使用されたりする。
【００２５】
カセッテ１３は、放射線Ｘを透過させる材料からなるケーシング１６を備えている。ケーシング１６の内部には、放射線Ｘが照射されるケーシング１６の照射面１６ａ側から、グリッド１７、放射線検出器１８及び鉛板１９が順に配設されている。グリッド１７は、被検者Ｈによる放射線Ｘの散乱線を除去する。放射線検出器１８は、被検者Ｈを透過した放射線Ｘを検出する。鉛板１９は、放射線Ｘのバック散乱線を吸収する。
【００２６】
放射線検出器１８は、蛍光体層と検出素子層とを備えた間接変換型のものである。蛍光体層は、ＣｓＩ（沃化セシウム）等の蛍光体からなる層であり、入射したＸ線を可視光に変換する。検出素子層は、蛍光体層で生じた可視光を電荷に変換して蓄積するフォトダイオードと、フォトダイオードに蓄積された電荷の読出し制御を行うＴＦＴ（薄膜トランジスタ）スイッチとからなる画素が二次元マトリクス状に配列されたセンサマトリクスである。なお、放射線検出器１８は、アモルファスセレン等からなる変換層でＸ線を直接電荷に変換する直接変換型のものであってもよい。
【００２７】
ケーシング１６の内部には、上記の他に、制御ユニット２２、電源ユニット２３及び通信ユニット２４が収容されている。電源ユニット２３はカセッテ１３の各部に電力を供給する。制御ユニット２２は、放射線検出器１８を駆動制御する。通信ユニット２４は、コンソール１４との間で通信を行い、画像データを含む各種データを送受信する。
【００２８】
ケーシング１６の側面には、電源スイッチ２７、モニタランプ２８及びコネクタ２９が配設されている。電源スイッチ２７は、カセッテ１３の電源状態をオンとオフとで切り替える。モニタランプ２８は、カセッテ１３の電源状態や、バッテリ３６の充電状態を表示する。コネクタ２９は、受電端子３１及び通信端子３２（いずれも図３参照）を備えている。コネクタ２９は、コンソール１４から繋がるケーブル３０が受電端子３１及び通信端子３２に接続された場合に、受電端子３１を介したコンソール１４からの電力の供給、及び通信端子３２を介したコンソール１４との有線方式での通信を可能にする。
【００２９】
図３に示すように、制御ユニット２２は、カセッテ制御部３３及び画像メモリ３４を備えている。カセッテ制御部３３は、例えば各種演算処理を行うＣＰＵ、このＣＰＵにおいて実行される制御プログラムや制御データ等を記憶したＲＯＭ、及びプログラムや各種データをロードして、ＣＰＵの作業用メモリに用いられるＲＡＭ等からなり、カセッテ１３の各部を統括的に制御する。画像メモリ３４は、放射線検出器１８から出力された画像データを記憶する。
【００３０】
電源ユニット２３は、給電方式切替部３５及びバッテリ３６を備えている。給電方式切替部３５は、カセッテ１３の各部への給電方式を、バッテリ３６からのバッテリ方式と、受電端子３１からの有線方式とで切り替える。給電方式切替部３５は、受電端子３１から電力の供給がない場合にバッテリ方式を選択し、受電端子３１から電力の供給がある場合に有線方式を選択する。バッテリ３６は、受電端子３１から電力の供給がある場合に充電される。
【００３１】
通信ユニット２４は、通信方式切替部３７、有線通信部３８、無線通信部３９及びアンテナ４０を備えている。通信方式切替部３７は、コンソール１４との間の通信方式を、ケーブル３０を介した有線方式と、アンテナ４０を介した無線方式とで切り替える。通信方式切替部３７は、通信端子３２にケーブル３０が接続されている場合に有線方式を選択し、通信端子３２にケーブル３０が接続されていない場合に無線方式を選択する。有線通信部３８は、通信端子３２に接続されたケーブル３０を介して、コンソール１４との間で有線方式による通信を行う。無線通信部３９は、アンテナ４０を介して、コンソール１４との間で無線方式による通信を行う。
【００３２】
図４に示すように、コンソール１４は、コンソール制御部４２、通信部４３、ストレージ４４、画像処理部４５、画像メモリ４６、表示部４７、操作部４８及び給電部４９を備えている。
【００３３】
コンソール制御部４２は、カセッテ制御部３３と同様に、演算処理を行うＣＰＵ、制御プログラムや制御データ等を記憶したＲＯＭ、及びプログラムや各種データをロードして、ＣＰＵの作業用メモリに用いられるＲＡＭ等からなり、コンソール１４の各部を統括的に制御する。
【００３４】
通信部４３は、放射線発生装置１２、カセッテ１３、情報管理サーバ１５との間で通信を行い、各種データを送受信する。通信部４３は、ケーブル３０を介してカセッテ１３が接続されている場合に、有線方式でカセッテ１３と通信を行い、ケーブル３０を介してカセッテ１３が接続されていない場合に、アンテナ（図示省略）を介した無線方式でカセッテ１３と通信を行う。
【００３５】
ストレージ４４には、図５（Ａ）に示すオーダ一覧テーブル６１が格納されている。オーダ一覧テーブル６１には、情報管理サーバ１５から送信されたオーダ６２が受付順に記載される。図５（Ｂ）に示すように、各オーダ６２は、ＩＤ、依頼元情報（例えば、診療科名、医師名）、患者情報（例えば、患者名、年齢）、撮影部位、及びステータス（未撮影、撮影中、撮影完了）等の項目から構成される。各項目は、オーダ６２の受付時に記載される。ステータスは、オーダ６２の受付時に「未撮影」と記載され、撮影処理の開始とともに「撮影中」と書き換えられる。そして、撮影が完了したタイミング、すなわち、カセッテ１３から一オーダ分のすべての画像データの送信が完了したタイミングで「撮影完了」と書き換えられる。
【００３６】
図４に戻り、画像処理部４５は、カセッテ１３から受信した画像データに各種画像処理を施す。画像処理後の画像データは、オーダ６２と関連付けてストレージ４４に格納される。表示部４７は、ＬＣＤ等のモニタ４７ａと、このモニタ４７ａに撮影メニュー等の各種操作画面や、放射線画像等を表示させる表示制御回路４７ｂとからなる。モニタ４７ａに表示される撮影メニューには、オーダ一覧テーブル６１に記載されているオーダ６２が含まれる。
【００３７】
操作部４８は、キーボード、マウス（いずれも図示省略）等からなり、各種設定、操作に用いられる。また、操作部４８には、放射線発生装置１２に放射線Ｘを照射させ、カセッテ１３に放射線Ｘを検出させる撮影スイッチが含まれる。技師は、モニタ４７ａに表示されるオーダ６２等にしたがって操作部４８を操作して、撮影を実行する。
【００３８】
給電部４９は、外部の商用電源から電力の供給を受けて、コンソール１４の各部に電力を供給するとともに、ケーブル３０を介してカセッテ１３が接続されている場合に、カセッテ１３に電力を供給する。
【００３９】
コンソール制御部４２は、ケーブル３０を介してカセッテ１３が接続されている場合にバッテリ３６の残量を計測し、バッテリ３６の残量が所定の閾値（例えば、満充電の８０％）を超えているか否かを判定する第１判定部５１、及びオーダ一覧テーブル６１に記載されているオーダ６２中のステータスを参照し、被検者単位で行われる撮影の処理中であるか否かを判定する第２判定部５２として機能する。
【００４０】
第２判定部５２は、ステータスが「撮影中」の場合に撮影の処理中であると判定し、ステータスが「撮影完了」の場合に撮影の処理中ではないと判定する。
【００４１】
表示制御回路４７ｂは、第１及び第２判定部５１、５２の判定結果に基づいて、ケーブル３０による接続を解除することが可能であるか否かを、モニタ４７ａに表示する。
【００４２】
表示制御回路４７ｂは、第１判定部５１において、バッテリ３６の残量が所定の閾値を超えていると判定され、かつ、第２判定部５２において、撮影の処理中ではないと判定された場合に、図６（Ａ）に示すような、通信方式として無線方式の選択が可能である旨を通知するウィンドウ５５を、モニタ４７ａに表示する。
【００４３】
表示制御回路４７ｂは、第１判定部５１において、バッテリ３６の残量が所定の閾値を超えていないと判定され、かつ、第２判定部５２において、撮影の処理中ではないと判定された場合に、図６（Ｂ）に示すような、通信方式として無線方式の選択が不可能である旨を通知するウィンドウ５６を、モニタ４７ａに表示する。
【００４４】
次に、上記構成の放射線撮影システム１１の作用について、図７に示すフローチャートを参照しながら説明する。バッテリ３６の残量が減って無線方式で画像データを送信できなくなった場合、コネクタ２９にケーブル３０が接続されることで、バッテリ３６の充電が開始される（ステップ（以下、Ｓと略す。）１１）とともに、有線方式で画像データが送信される（Ｓ１２）。
【００４５】
バッテリ３６の残量は、第１判定部５１が計測する（Ｓ１３）。そして、第１判定部５１は、バッテリ３６の残量が所定の閾値を超えているか否かを判定する（Ｓ１４）。
【００４６】
バッテリ３６の残量が所定の閾値を越えていると判定された場合（Ｓ１４でＹＥＳ）、第２判定部５２が、被検者単位で行われる撮影の処理中であるか否かを判定する（Ｓ１５）。撮影の処理中ではないと判定された場合（Ｓ１５でＮＯ）、モニタ４７ａには、通信方式として無線方式の選択が可能である旨を通知するウィンドウ５５（図６（Ａ）参照）が表示される（Ｓ１６）。
【００４７】
バッテリ３６の残量が所定の閾値を越えていないと判定された場合（Ｓ１４でＮＯ）であっても、第２判定部５２が、撮影の処理中であるか否かを判定する（Ｓ１７）。撮影の処理中ではないと判定された場合（Ｓ１７でＮＯ）、モニタ４７ａには、通信方式として無線方式の選択が不可能である旨を通知するウィンドウ５６（図６（Ｂ）参照）が表示される（Ｓ１８）。
【００４８】
以上説明したように、複数の被検者を順次撮影する放射線撮影システム１１において、バッテリ３６の残量不足が原因で、画像データの送信方式を無線方式から有線方式に切り替えてバッテリ３６の充電を開始した後に、バッテリ３６の残量が所定の閾値を超え、無線方式への復帰が可能である場合に、被検者単位で行われる撮影の処理中であるか否かを判定する。そして、撮影の処理中ではないと判定された場合に、放射線画像を表示するモニタ４７ａに、通信方式として無線方式の選択が可能である旨を通知するウィンドウ５５を表示するから、放射線画像の確認作業の妨げにならない適切なタイミングで、無線方式への復帰が可能である旨を報知することができる。これにより、技師に煩わしさを感じさせることがない。また、技師が気付きやすく、無線方式への復帰のタイミングを失うことが防止される。
【００４９】
また、一オーダ分（被検者一人分）のすべての画像データの送信が完了したタイミング、すなわち、放射線画像の確認作業が終了するタイミングで撮影の処理中ではないと判定し、モニタ４７ａにウィンドウ５５を表示するから、技師がモニタ４７ａを見ているという適切なタイミングで、無線方式への復帰が可能である旨を報知することができる。このタイミングは、次の被検者の撮影開始までの準備時間が最大となるタイミングであり、余裕をもって無線方式への復帰作業を行うことができる。これにより、次の被検者の撮影開始を遅らせることなく対応することができ、作業効率がよい。
【００５０】
［第２実施形態］
次に説明する第２実施形態では、バッテリ３６の充電状態に加えて、無線方式における通信状態を考慮して、ケーブル３０による接続を解除することが可能であるか否かを報知する。なお、上記第１実施形態と同様の構成、作用及び効果についての説明は省略する。
【００５１】
第２実施形態における第１判定部５１は、第１実施形態における機能に加えて、カセッテ１３及びコンソール１４の間における無線方式の通信状態（例えば、通信強度）を調べ、画像データを送信することが可能な通信状態であるか否かを判定する機能を有する。
【００５２】
表示制御回路４７ｂは、第１判定部５１において、バッテリ３６の残量が所定の閾値を超えていると判定されるとともに、カセッテ１３及びコンソール１４の間における無線方式の通信状態が、画像データを送信できる通信状態であると判定され、かつ、第２判定部５２において、撮影の処理中ではないと判定された場合に、図６（Ａ）に示すウィンドウ５５をモニタ４７ａに表示する。
【００５３】
表示制御回路４７ｂは、第１判定部５１において、バッテリ３６の残量が所定の閾値を超えていないと判定されるか、又は、カセッテ１３及びコンソール１４の間における無線方式の通信状態が、画像データを送信できない通信状態であると判定され、かつ、第２判定部５２において、撮影の処理中ではないと判定された場合に、図６（Ｂ）に示すウィンドウ５６をモニタ４７ａに表示する。
【００５４】
次に、上記構成の放射線撮影システム１１の作用について、図８に示すフローチャートを参照しながら説明する。Ｓ２１〜２５は、Ｓ１１〜Ｓ１５と同様である。撮影の処理中ではないと判定された場合（Ｓ２５でＮＯ）、第１判定部５１が、カセッテ１３及びコンソール１４の間における無線方式の通信状態を調べ、その通信状態が、画像データの送信が可能であるか否かを判定する（Ｓ２６）。
【００５５】
画像データを送信できる通信状態であると判定された場合（Ｓ２６でＹＥＳ）、モニタ４７ａには、通信方式として無線方式の選択が可能である旨を通知するウィンドウ５５（図６（Ａ）参照）が表示される（Ｓ２７）。
【００５６】
バッテリ３６の残量が所定の閾値を超えていないと判定された場合（Ｓ２４でＮＯ）、Ｓ２８及びＳ２９に進む。Ｓ２８及びＳ２９は、Ｓ１７及びＳ１８と同様である。
【００５７】
画像データを送信できない通信状態であると判定された場合（Ｓ２６でＮＯ）、モニタ４７ａには、通信方式として無線方式の選択が不可能である旨を通知するウィンドウ５６（図６（Ｂ）参照）が表示される（Ｓ２９）。
【００５８】
なお、上記各実施形態では、コンソール１４におけるコンソール制御部４２が第１及び第２判定部５１、５２として機能する場合を例に説明したが、ＦＰＤカセッテ１３におけるカセッテ制御部３３が同様の判定部として機能するようにしてもよい。
【００５９】
また、上記各実施形態では、通信方式として無線方式の選択が可能である旨を、モニタ４７ａにウィンドウ５５を表示することで報知する場合を例に説明したが、これに代えて、あるいはこれに加えて、カセッテ１３のモニタランプ２８やコンソール１４に別途設けたモニタランプ（図示省略）に表示したり、コンソール１４に別途設けたスピーカ（図示省略）で出力したりすることで報知してもよい。
【００６０】
また、上記各実施形態では、一オーダ分のすべての画像データの送信が完了したタイミングで「撮影完了」としたが、例えば一オーダに複数の撮影が含まれる場合は、各撮影が終了したタイミングで「撮影完了」として、無線方式の選択が可能である旨のウィンドウ５５を、モニタ４７ａに表示してもよい。こうすることで、一オーダ分の場合より迅速に表示することができ、無線方式への復帰を早期に行うことができる。
【符号の説明】
【００６１】
１１  放射線撮影システム
１３  ＦＰＤカセッテ（カセッテ）
１４  コンソール
１５  情報管理サーバ
１８  放射線検出器
２９  コネクタ
３０  ケーブル
３６  バッテリ
３７  通信方式切替部
３９  無線通信部
４３  コンソール制御部
４７  表示部
４７ａ  モニタ
４７ｂ  表示制御回路
５１  第１判定部
５２  第２判定部
６２  オーダ
【図１】
0005436281.tif 000002
【図２】
0005436281.tif 000003
【図３】
0005436281.tif 000004
【図４】
0005436281.tif 000005
【図５】
0005436281.tif 000006
【図６】
0005436281.tif 000007
【図７】
0005436281.tif 000008
【図８】
0005436281.tif 000009